(57)【特許請求の範囲】
【請求項１】
編成ツールを有する編成領域とこれに続く編地巻取装置とを有する経編機において、
編地ウェブ（５）の両方の縁部に作用する幅出装置（９；２９）が、編成領域（２）と編地巻取装置（６）との間に設けられており、
これらの幅出装置（９；２９）が、それぞれ、周面に複数の針（１４；３４）が配置された少なくとも１つの被動ホイール（１１、１２、１３；３１、３２、３３）を有し、該幅出装置の駆動軸が、経編機（１）の編成幅方向に対してほぼ平行に延び、前記被動ホイール（１１、１２、１３；３１、３２、３３）の回転軸心が編成幅方向に対して角度をなして延びており、
支持体（３０）が、駆動軸（４０）を受容する軸方向の穴（３６）と、被動ホイール（３１、３２、３３）を下端が外方に突出するような状態で受容する少なくとも１つの傾斜ポケット（３７、３８、３９）とを有し、
それぞれの軸線のセット位置の違う上記駆動軸（４０）と被動ホイールとの間に、駆動のトルク伝達のための、継手が設けられていることを特徴とする経編機。
【請求項２】
前記幅出装置（９；２９）がそれぞれ２乃至４つの被動ホイール（１１、１２、１３；３１、３２、３３）を有することを特徴とする請求項１記載の経編機。
【請求項３】
編地ウェブ（５）の送り方向（１５）に対して少なくとも１つの被動ホイール（１１、１２、１３；３１、３２、３３）の相対角度が調整可能であることを特徴とする請求項１又は２記載の経編機。
【請求項４】
前記駆動軸（４０）が軸方向の溝（４３）を有し、被動ホイール（３１、３２、３３）の半径方向内向きのピン（４４）がこれらの軸方向の溝（４３）内に係合することを特徴とする請求項１〜３のいずれか１の項記載の経編機。
【請求項５】
被動ホイール（３１、３２、３３）が少なくとも９０°の周方向角度範囲にわたって傾斜ポケット（３７、３８、３９）から外方に突出しており、支持体（３０）の回転方向への調整によって被動ホイール（３１、３２、３３）の針（３４）の有効軸方向オフセットが変更可能であることを特徴とする請求項１〜４のいずれか１項記載の経編機。
【発明の詳細な説明】
【０００１】
【発明の属する技術分野】
本発明は、編成ツールを有する編成領域とこれに続く編地巻取装置とを有する経編機に関するものである。
【０００２】
【従来の技術および発明が解決しようとする課題】
公知の経編機では、スペースを有効に利用するために、又はラッシェル編機におけるように編成技術に基づき、編地巻取装置を編成領域の極力近傍に配置することが一般に行われている。編成領域と編地巻取装置との間の距離が僅か数センチメートル、例えば６〜１０ｃｍであっても、編地ウェブが編地巻取装置に達する前に、編地ウェブの縁部は内側に湾曲する。この内側への湾曲の大きさは、そのときの編地に依存しており、弾性布の場合に内側への湾曲が最大となる。
【０００３】
本発明は、編成領域と編地巻取装置との間の距離が僅しかない場合でも編地ウェブ縁部の凹みを完全に又は殆ど防止することのできる手段を具備した経編機を提供することを目的にする。
【０００４】
【課題を解決するための手段】
上記課題は、本発明によれば、編地ウェブの両方の縁部に作用する幅出装置が編成領域と編地巻取装置との間に設けられており、これらの幅出装置がそれぞれ、周面に針を有する少なくとも１つの被動ホイールを有し、該幅出装置の駆動軸が経編機の編成幅方向に対してほぼ平行に延び、被動ホイールの回転軸心が編成幅方向に対して角度をなして延びており、支持体が、駆動軸を受容する軸方向の穴と、被動ホイールを下端が外方に突出するような状態で受容する少なくとも１つの傾斜ポケットとを有し、それぞれの軸線のセット位置の違う上記駆動軸（４０）と被動ホイールとの間に、駆動のトルク伝達のための、継手が設けられているような構成の経編機によって、解決される。
【０００５】
このような構成の経編機によれば、幅出装置の駆動軸が経編機の編成幅方向に対してほぼ平行に延設されていることから、該幅出装置の巻取方向の寸法がごく僅かですむ。その結果、幅出装置は比較的編成ツールのすぐ背後に配置することができ、編成領域と編地巻取装置との間の距離が僅しかない場合でも、採用可能となる。少なくとも１つの被動ホイールを傾斜させることによって、編地ウェブに針が食込み、連行される被動ホイールが回転することで既に巻取方向を横切る方向の力の成分が生じ、従って一定の幅出効果が得られる。この効果は少なくとも１つの被動ホイールを駆動することによって著しく強められ、縁部で編地の張力が高まり、編地ウェブが編地巻取装置の第１巻取ロールに達するとき、編地ウェブの幅を、殆ど狭小させる（内側に湾曲する）ことなく維持することができる。また、支持体が、駆動軸を受容する軸方向の穴と、被動ホイールを受容する少なくとも１つの傾斜ポケットとを有するように構成されているので、該支持体は容易に製造することができる。さらに、駆動軸と被動ホイールとの間の上記継手としては、駆動軸と被動ホイールとの軸線のセット位置の違いを考慮したさまざまな設計、例えば自在継手、撓み継手、撓み軸等が考え得る。
【０００６】
好ましくは、上記幅出装置がそれぞれ２乃至４つの被動ホイールを有するように構成することである。このように構成すると、十分に広い縁部領域を処理する可能性が得られるとともに、幅出装置の軸方向オフセットによって有効幅出力を調整することもできる。
【０００７】
望ましくは、編地ウェブの送り方向に対して少なくとも１つの被動ホイールの相対角度が調整可能であるように構成することである。得たい縁部に作用する張力は、前記角度を調整することによって、調整することができる。
【０００９】
特に有利な構成としては、駆動軸が軸方向の溝を有し、被動ホイールの半径方向内向きのピンが、これらの軸方向の溝内に係合するように構成することである。このような継手は、ごく狭い空間に形成することができる。
【００１０】
被動ホイールが少なくとも９０°の周方向角度範囲にわたって傾斜ポケットから外方に突出しており、支持体の回転方向への調整によって被動ホイールの針の有効軸方向オフセットが変更可能である構成も有利な構成となる。このことから、幅出効果を調節できるという他の可能性が得られる。
【００１１】
【発明の実施の形態】
以下、図面と合わせて好ましい１実施例に基づいて本発明を詳しく説明する。
【００１２】
経編機１が編成領域２を有し、ガイドバー４によって担持されるガイドニードル３を介して、この編成領域２に糸が供給される。編成領域２は、通常の如くにひげ針、コンパウンドニードル、ステッチコームシンカ、ノックオーバシンカ等の編成ツールを有する。編成領域２の出口から編地ウェブ５が出て行き、これに続く編地巻取装置６によって、所定の張力で巻き取られる。図では、編地巻取装置６のうち第１ロール７が図示されている。
【００１３】
編地ウェブ５の縁部８は、幅方向で収縮する傾向（狭小になる傾向）がある。この収縮傾向に対処するため、幅出装置９が設けられており、その支持体１０は図示しない駆動軸と共に、経編機１の編成幅方向に対して平行に延びている。支持体１０が３つの被動ホイール１１、１２、１３を有し、被動ホイール１１、１２、１３はそれぞれ周面に複数の針１４が配設されている。前記被動ホイール１１、１２、１３のうち、編地ウェブ５に作用する図１には見ることのできない部分が、実質的に編地ウェブ５の送り方向１５に、しかも編地巻取速度とほぼ同じ周速度で回転するように、これらの被動ホイール１１、１２、１３は駆動される。これにより、被動ホイール１１、１２、１３が傾斜して配置されていることから、かなりの幅出効果（幅出のための張力）が得られ、この張力は前記傾斜を変更することによって各編地に適合させることができる。
【００１４】
図２、図３の実施態様では、図１の対応する部品に、図１の対応する部品に付した参照番号（符号）に２０を加えた符号が、付けられている。この実施例では、幅出装置２９が支持体３０を有し、この支持体３０が、１つの軸方向の穴３６と、３つの傾斜ポケット３７、３８、３９とを備えている。軸方向の穴３６は、駆動装置によって矢印４５に示すように駆動される駆動軸４０を受容し、この駆動軸４０は滑り軸受４１と転がり軸受４２を介して支承されており、４つの縦方向の溝４３を有する。前記傾斜ポケット３７、３８、３９は、図１の実施例と同じに、やはり複数の針３４が配置された各１つの被動ホイール３１、３２、３３を受容する。被動ホイール３１、３２、３３は４つの半径方向に突出したピン４４を有し、これらのピン４４が前記縦方向の溝４３内に係合する。そのため、ピン４４はトルク伝達に寄与するとともに、被動ホイールの駆動時に不可欠となる角度補償にも寄与する。駆動装置４５は独自の電動機によって形成することができるが、しかし好ましくは編地巻取装置の駆動装置からの駆動力を利用することである。
【００１５】
前記傾斜ポケット３７、３８、３９は、図３にポケット３８が図示されている如く、支持体３０を貫通する傾斜溝によって形成することができ、被動ホイールは少なくとも９０°の周方向角度範囲にわたって傾斜ポケット３８から外方に突出するようにこの傾斜溝内に配置される。その結果、駆動軸４０の軸線の周りで、支持体３０を回すことによって、被動ホイール３１、３２、３３の針３４の有効軸方向オフセット量を変更することができる。
【００１６】
最良の結果は、編成領域２と編地巻取装置６との間の距離が６〜１０ｃｍの範囲内に、３つの被動ホイールが設けられており、これらの被動ホイールが編地巻取速度に等しい周速度で駆動され、場合によっては、編地がそれを要求する場合にはそれよりも速い速度又は遅い速度で駆動されたときに、もたらされる。同様に、縁部領域で最適な結果を達成するために、被動ホイールの傾斜を各編地パターンに合わせて適合させることができる。
【００１７】
【発明の効果】
本発明にかかる経編機によると、編成領域と編地巻取装置との間の距離が僅しかない場合でも編地ウェブ縁部の凹みを完全に又は殆ど防止することのできる手段を具備した経編機となる。
【図面の簡単な説明】
【図１】  本発明による経編機の編成・巻取領域の略示図である。
【図２】  幅出装置の断面図である。
【図３】  図２のＡ−Ａ線に沿った断面図である。
【符号の説明】
１、２１……経編機
２、２２……編成領域
５……編地ウェブ
６……編地巻取装置
９，２９……幅出装置
１１、１２、１３……被動ホイール
１４……針
【図１】
0003703686.tif 000002
【図２】
0003703686.tif 000003
【図３】
0003703686.tif 000004